(57)【要約】  【課題】  読み取り部を保護するための部材に対する汚れの付着や傷の形成を抑制しながら、読み取り部の軽量化あるいはコストダウンを図る。  【解決手段】  ＣＩＳ５０のカバー５１をアクリル樹脂やポリカーボネート樹脂などの弾性を有する透明樹脂にて構成する。そして、ＣＩＳ５０は原稿が突き当てられる突き当て部材６０対向して配置される。また、カバー５１はＣＩＳ５０に対して着脱自在に取り付けられる。搬送される原稿は、ＣＩＳ５０に対向配置される突き当て部材６０に突き当てられながら搬送されるため、原稿がＣＩＳ５０のカバー５１に接触するという事態は生じず、カバー５１に対する原稿の汚れの付着や、原稿によりカバー５１が傷つけられるという問題は生じない。  【選択図】  図２
2005167839.tif 000002
【特許請求の範囲】
【請求項１】
搬送される原稿が突き当てられる突き当て部材と、
前記突き当て部材に対向配置され、前記突き当て部材に突き当てられながら搬送される原稿上の画像を読み取る読み取りセンサと、
前記突き当て部材と前記読み取りセンサとの間に設けられて当該読み取りセンサを保護する、弾性を有する透明材料からなる保護部材と
を有する画像読み取り装置。
【請求項２】
前記保護部材は、原稿から離間した位置に配置されることを特徴とする請求項１記載の画像読み取り装置。
【請求項３】
前記保護部材は、アクリル樹脂またはポリカーボネート樹脂からなることを特徴とする請求項１記載の画像読み取り装置。
【請求項４】
前記読み取りセンサは、ＣＩＳ(Contact Image Sensor)センサからなることを特徴とする請求項１記載の画像読み取り装置。
【請求項５】
原稿が湾曲して搬送される搬送経路と、
湾曲される原稿の内側から当該原稿上の画像を読み取る読み取りセンサと、
前記読み取りセンサと前記搬送経路との間に設けられて当該読み取りセンサを保護する、弾性を有する透明材料からなる保護部材と
を有する画像読み取り装置。
【請求項６】
前記読み取りセンサが収容されると共に、当該読み取りセンサの読み取り面が対向配置され且つ前記保護部材が装着される開口部を備えたハウジングをさらに有することを特徴とする請求項５記載の画像読み取り装置。
【請求項７】
前記保護部材が前記ハウジングに対して着脱自在に設けられることを特徴とする請求項５記載の画像読み取り装置。
【請求項８】
原稿が搬送される搬送経路の上側に配設され、搬送される原稿の上面の画像を読み取る読み取りセンサと、
前記読み取りセンサによる原稿の読み取り位置と当該読み取りセンサとの間に設けられる、透明樹脂からなる板状部材と
を有する画像読み取り装置。
【請求項９】
前記板状部材は、前記搬送経路から離間した位置に配置されることを特徴とする請求項８記載の画像読み取り装置。
【請求項１０】
原稿が湾曲して搬送される搬送経路と、
前記搬送経路の湾曲部外側から当該原稿の第１面を読み取る第１の読み取り部と、
前記搬送経路の湾曲部内側から当該原稿の第２面を読み取る第２の読み取り部とを備え、
前記第１の読み取り部は、
原稿の第１面の画像を読み取る第１のセンサと、
前記第１のセンサによる読み取り位置と当該第１のセンサとの間に設けられて当該第１のセンサを保護する、ガラスからなる第１の保護部材とを有し、
前記第２の読み取り部は、
原稿の第２面の画像を読み取る第２のセンサと、
前記第２のセンサによる読み取り位置と当該第２のセンサとの間に設けられて当該第２のセンサを保護する、樹脂からなる第２の保護部材とを有することを特徴とする画像読み取り装置。
【請求項１１】
前記第１の読み取り部は固定配設される装置本体に設けられ、
前記第２の読み取り部は前記装置本体に対して移動自在に取り付けられる移動体に設けられることを特徴とする請求項１０記載の画像読み取り装置。
【請求項１２】
下向きに開口する開口部を有するハウジングと、
前記ハウジングに収容されると共に、読み取り面が前記開口部に対向配置される読み取りセンサと、
前記開口部を覆う、透明樹脂からなるカバーと
を有する画像読み取りモジュール。
【請求項１３】
前記ハウジングに対して前記カバーが着脱自在に設けられることを特徴とする請求項１２記載の画像読み取りモジュール。
【発明の詳細な説明】
【技術分野】
【０００１】
本発明は、原稿上の画像を読み取る画像読み取り装置等に係り、より詳しくは、画像を読み取る読み取りセンサを保護するための部材を備えた画像読み取り装置等に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置は、原稿の搬送経路に直交する方向に延設される光源を用いて原稿に光を照射し、照射された原稿から反射した反射光を読み取りセンサにて受光することで、原稿上の画像を読み取る読み取り部を備えている。そして、原稿の搬送経路に対向してプラテンガラスを配置すると共に、搬送経路からみてプラテンガラスの奥側に光源や読み取りセンサを配置し、プラテンガラスに原稿を押し当てながら原稿の画像を読み取ることで、光源や読み取りセンサに埃や汚れが付着するのを防止している(例えば、特許文献１参照。)。
【０００３】
また、最近では、原稿の表裏両面における画像情報をユーザの介在なしに自動的に読み取る画像読み取り装置(自動両面読み取り装置)が広く用いられるようになってきている。そして、搬送経路の表裏両面側にそれぞれ読み取り部を設け、原稿を表裏反転させることなく、１回の原稿搬送にて原稿の両面を自動的に読み取り可能としたものが提案されている(特許文献２参照。)。
【０００４】
【特許文献１】特開２００１−２２３８３２号公報(第３-５頁、図２)
【特許文献２】特開２００１−３１３７９４号公報(第３-４頁、図３)
【発明の開示】
【発明が解決しようとする課題】
【０００５】
ところで、上述した特許文献２に記載の画像読み取り装置においても、各読み取り部を構成する光源やセンサを保護するために、搬送経路の表裏面側に、それぞれ特許文献１に記載されるプラテンガラスを配置することが考えられる。
しかしながら、プラテンガラスに原稿を押し付けながら画像の読み取りを行った場合には、プラテンガラスに原稿の汚れが付着する他、プラテンガラスが原稿で擦られて傷がついてしまう。また、軽量化を目的としてプラテンガラスを薄くした場合には、その弾性が著しく減少し、原稿の押し付けにより割れやすくなってしまうという問題もある。
【０００６】
一方、特許文献１のように、スキャナ本体に対して原稿搬送部が開閉自在に取り付けられる画像読み取り装置において両面同時読み取りを実現しようとした場合には、原稿搬送部側に一方の読み取り部を装着する構成を採用せざるを得ない。この場合、原稿搬送部に加わる不意の衝撃によってこの読み取り部側に装着されたプラテンガラスに過剰な荷重がかかりやすく、その結果、プラテンガラスが割れてしまうおそれがある。このように原稿搬送部側のプラテンガラスが割れた場合には、ガラスの破片がスキャナ本体側に露出した状態で落下してしまう。
このような事態を防止するために、原稿搬送部側のプラテンガラスを接着等によって強固に固定することが考えられるが、プラテンガラスを交換する際に、プラテンガラスを固定した部材ごと交換せざるを得なくなる。すると、画像読み取り装置のメンテナンス性が低下する他、交換に必要なコストも増大してしまうことになる。
【０００７】
本発明は、かかる技術的課題を解決するためになされたものであって、その目的とするところは、読み取り部を保護するための部材に対する汚れの付着や傷の形成を抑制しながら、読み取り部の軽量化あるいはコストダウンを図ることにある。
また他の目的は、読み取り部の保護部材にトラブルが生じた場合にも、ユーザの安全を確保することにある。
【課題を解決するための手段】
【０００８】
かかる目的のもと、本発明が適用される画像読み取り装置は、搬送される原稿が突き当てられる突き当て部材と突き当て部材に対向配置され、突き当て部材に突き当てられながら搬送される原稿上の画像を読み取る読み取りセンサと、突き当て部材と読み取りセンサとの間に設けられて読み取りセンサを保護する、弾性を有する透明材料からなる保護部材とを有している。
ここで、保護部材は、原稿から離間した位置に配置されることを特徴とすることができる。また、保護部材は、アクリル樹脂またはポリカーボネート樹脂からなることを特徴とすることができる。さらに、読み取りセンサは、ＣＩＳ(Contact Image Sensor)センサからなることを特徴とすることができる。
【０００９】
また、他の観点から捉えると、本発明が適用される画像読み取り装置は、原稿が湾曲して搬送される搬送経路と、湾曲される原稿の内側から原稿上の画像を読み取る読み取りセンサと、読み取りセンサと搬送経路との間に設けられて読み取りセンサを保護する、弾性を有する透明材料からなる保護部材とを有している。
ここで、読み取りセンサが収容されると共に、読み取りセンサの読み取り面が対向配置され且つ保護部材が装着される開口部を備えたハウジングをさらに有することを特徴とすることができる。また、保護部材がハウジングに対して着脱自在に設けられることを特徴とすることができる。
【００１０】
さらに、他の観点から捉えると、本発明が適用される画像読み取り装置は、原稿が搬送される搬送経路の上側に配設され、搬送される原稿の上面の画像を読み取る読み取りセンサと、読み取りセンサによる原稿の読み取り位置と読み取りセンサとの間に設けられる、透明樹脂からなる板状部材とを有している。
ここで、板状部材は、搬送経路から離間した位置に配置されることを特徴とすることができる。
【００１１】
さらにまた、他の観点から捉えると、本発明が適用される画像読み取り装置は、原稿が湾曲して搬送される搬送経路と、搬送経路の湾曲部外側から原稿の第１面を読み取る第１の読み取り部と、搬送経路の湾曲部内側から原稿の第２面を読み取る第２の読み取り部とを備え、第１の読み取り部は、原稿の第１面の画像を読み取る第１のセンサと、第１のセンサによる読み取り位置と第１のセンサとの間に設けられて第１のセンサを保護する、ガラスからなる第１の保護部材とを有し、第２の読み取り部は、原稿の第２面の画像を読み取る第２のセンサと、第２のセンサによる読み取り位置と第２のセンサとの間に設けられて第２のセンサを保護する、樹脂からなる第２の保護部材とを有することを特徴としている。
ここで、第１の読み取り部は固定配設される装置本体に設けられ、第２の読み取り部は装置本体に対して移動自在に取り付けられる移動体に設けられることを特徴とすることができる。
【００１２】
一方、本発明が適用される画像読み取りモジュールは、下向きに開口する開口部を有するハウジングと、ハウジングに収容されると共に、読み取り面が開口部に対向配置される読み取りセンサと、開口部を覆う、透明樹脂からなるカバーとを有している。
この画像読み取りモジュールにおいて、ハウジングに対してカバーが着脱自在に設けられることを特徴とすることができる。
【発明の効果】
【００１３】
本発明によれば、読み取り部を保護するための部材に対する汚れの付着や傷の形成を抑制しながら、読み取り部の軽量化あるいはコストダウンを図ることができる。
【発明を実施するための最良の形態】
【００１４】
以下、添付図面を参照して、本発明を実施するための最良の形態(以下、実施の形態という)について詳細に説明する。
図１は本実施の形態が適用される画像読み取り装置を示した図である。この画像読み取り装置は、大きく、積載された原稿束から原稿を順次、搬送する原稿送り装置１０、スキャンによって画像を読み込む第１の読み取り部としてのスキャナ装置７０、および、読み込まれた画像信号を処理する処理装置８０に大別される。ここで、原稿送り装置１０は、スキャナ装置１０の奥側に対して揺動自在に取り付けられている。
【００１５】
原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚づつ捌くリタードロール１５を備えている。最初に原稿が搬送される第１搬送路３１には、一枚づつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、第１搬送路３１には、搬送される原稿のループ状態に応じて支点を中心として回動するバッフル４１を備えている。更に、プラテンロール１９とアウトロール２０との間には、本実施の形態における第２の読み取り部(画像読み取りモジュール)である、ＣＩＳ(Contact Image Sensor)５０を備えている。
【００１６】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１７】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ(後述)に押圧されて、下面方向から画像データが読み込まれる。
【００１８】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００１９】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００２０】
また、スキャナ装置７０は、第１の保護部材としての第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換する第１のセンサとしてのＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００２１】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。なお。第１プラテンガラス７２Ａに載置された原稿の画像の読み取りを行う場合には、スキャナ装置７０に対して原稿送り装置１０を開放方向に揺動させて第１プラテンガラス７２Ａ上に原稿をセットした後、スキャナ装置７０に対して原稿送り装置１０を閉鎖方向に揺動させて第１プラテンガラス７２Ａ上の原稿を押さえる。
【００２２】
一方、第２プラテンガラス７２Ｂは、例えば長尺の板状構造をなす透明なガラスプレートで構成される。この第２プラテンガラス７２Ｂは、装置内部に埃等が侵入してＣＣＤイメージセンサ７８の受光面に埃が付着すること等から保護することや、フルレートキャリッジ７３やハーフレートキャリッジ７５への埃付着から保護すること、また、原稿が載置される台としての機能を有している。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２３】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味) に第２の読み取り部であるＣＩＳ５０によって、原稿の第２面の読み取りを行うことが可能である。即ち、第１のセンサであるＣＣＤイメージセンサ７８と第２のセンサであるラインセンサ５４とを用いて、搬送路への原稿の一度の搬送で、この原稿における表裏両面の画像を読み取ることを可能としている。
【００２４】
図２は、ＣＩＳ５０を用いた読み取り構造を説明するための図である。図２に示すように、ＣＩＳ５０は、プラテンロール１９とアウトロール２０との間に設けられる。原稿の片面(第１面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面)の画像が読み込まれる。このＣＩＳ５０は、保護部材(第２の保護部材)あるいは板状部材としてのカバー５１と、このカバー５１を透過して原稿の第２面に光を照射するＬＥＤ(Light Emitting Diode)５２と、ＬＥＤ５２からの反射光を集光するレンズアレイであるセルフォックレンズ５３と、このセルフォックレンズ５３により集光された光を読み取る読み取りセンサとしてのラインセンサ５４を備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。尚、カラー画像を読み込む場合には、ＬＥＤ５２にＲ(赤)Ｇ(緑)Ｂ(青)の３色のＬＥＤ光源を組み合わせ、ラインセンサ５４としてＲＧＢ３色用の３列一組のセンサを用いれば良い。
【００２５】
また、ＣＩＳ５０による画像読み取りに際して、この読み取り部を構成する搬送路に、ＣＩＳ５０の筐体から延びる制御部材５５、制御部材５５によって押し付けられた用紙を突き当てる突き当て部材６０を備えている。また、この突き当て部材６０の下流側にはガイド部材６１が設けられ、このガイド部材６１と突き当て部材６０との間には開口部６３を構成し、更に、ガイド部材６１の下部であって開口部６３に連続する箇所には、原稿の表面に付着してきたごみや汚れを溜めるごみ溜め部６２が設けられている。制御部材５５および突き当て部材６０は、原稿の搬送路に直交する方向に(即ち、原稿送り装置の前面から後面の方向に)、原稿送り装置の前面から後面まで、搬送路の位置に対応して設けられている。
【００２６】
ＣＩＳ５０は、光学結像レンズにセルフォックレンズ５３を採用していることから、焦点(被写界)深度が浅い。図３は、レンズ結像性能として焦点深度を説明するための図である。この図３には、本実施の形態におけるスキャナ装置７０等の縮小光学系を用いたレンズ深度(７.８Ｌｐ/ｍｍ)のＭＴＦ(Modulation Transfer Function)、およびセルフォックレンズ５３を用いたレンズ深度(６Ｌｐ/ｍｍ)のＭＴＦの一例が示されている。この「Ｌｐ/ｍｍ」は、１ｍｍの間に黒と白とのラダーパターンが幾つ存在するか、を示した値である。また、ＭＴＦは、被写体の持つ空間的な情報(コントラスト)を、低周波域(粗い稿目)から高周波域(細かい縞目)まで如何に忠実に再現するかを周波数特性で表したものである。図３の縦軸はＭＴＦ(％)を示し、横軸は、プラテンガラス上等のベストとなるピント位置から、１ｍｍずつ離した状態、１ｍｍずつ近付けた状態を示している。
【００２７】
例えば、原稿の読み取りに際してＭＴＦ２０％以上を目標とすると、本実施の形態におけるスキャナ装置７０を用いた場合には、±４ｍｍ程度でも一定のピントが合い、被写界深度を深くとることができる。一方、セルフォックレンズ５３を用いた場合には、ＭＴＦ２０％以上を目標とすると、被写界深度が±０.３ｍｍ程度と浅く、スキャナ装置７０を用いた場合に比べて約１/１３以下の深度となっている。即ち、本実施の形態におけるＣＩＳ５０による読み取りに際しては、原稿の読み取り位置を所定の狭い範囲内に定めることが要求される。
【００２８】
そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２の実線矢印に示す「用紙の動きＢ」は、制御部材５５が存在しない場合の用紙の動きを示したものであり、二点鎖線矢印に示す「用紙の動きＡ」は、制御部材５５を設けた場合の用紙の動きを示したものである。「用紙の動きＡ」では、原稿が突き当て部材６０に押し当てられて搬送されることが理解できる。即ち、制御部材５５によって搬送される原稿を突き当て部材６０に押し当てられた状態にて読み取ることで、被写界深度の浅いＣＩＳ５０を用いた場合のピントの甘さを改善している。
【００２９】
次に、図１に示す処理装置８０について説明する。
図４は、処理装置８０を説明するためのブロック図である。本実施の形態が適用される処理装置８０は、大きく、センサ(ＣＣＤイメージセンサ７８およびラインセンサ５４)から得られた画像情報を処理する信号処理部８１と、原稿送り装置１０およびスキャナ装置７０を制御する制御部９０とを備えている。信号処理部８１は、アナログ信号の処理を行うＡＦＥ(Analog Front End)８２、アナログ信号をディジタル信号に変換するＡＤＣ(Analog to Digital Converter)８３、ディジタル信号に対してシェーディング補正やオフセット補正等の各種処理を施すディジタル処理部８４を備え、ディジタル処理部８４により処理されたディジタル信号は、ホストシステムへ出力され、例えば、プリンタへ画像情報として出力される。
【００３０】
一方、制御部９０は、各種両面読み取りの制御や片面読み取りの制御等を含め、原稿送り装置１０およびスキャナ装置７０の全体を制御する画像読み取りコントロール９１、第１のセンサであるＣＣＤイメージセンサ７８およびＣＩＳ５０を制御するＣＣＤ/ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。
【００３１】
ここで、本実施の形態では、原稿送り装置１０による原稿搬送によって画像を読み取る際、第２プラテンガラス７２Ｂを介してプラテンロール１９に搬送される原稿をスキャナ装置７０(ＣＣＤイメージセンサ７８)を用いて読み取ることが可能であると共に、原稿送り装置１０に設けられたＣＩＳ５０を用いて読み取ることが可能である。しかしながら、前述のように、スキャナ装置７０の機構を用いたＣＣＤイメージセンサ７８による読み取りと、ＣＩＳ５０のセルフォックレンズ５３を用いた読み取りの場合とでは、その焦点深度の深さが異なり、解像特性に差が生じてしまう。特に、写真等のカラー画像を読み込む場合には、両者の読み込みにて色合わせが困難となり、両者の読み込みにて得られる画質が異なってしまう。そこで、本実施の形態では、複数の読み取りモードを準備し、装置の設定状態、原稿の種類、ユーザの選択等に基づいて、最適なモードの選択を可能としている。
【００３２】
図５は、図４に示す画像読み取りコントロール９１によって実行される処理の一例を示したフローチャートである。画像読み取りコントロール９１では、まず、搬送される原稿が片面原稿か否かが判断される(ステップ１０１)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)等によって認識することができる。また、ホストシステムからの要請や、ネットワーク等を介したユーザからの選択なども考えられる。このステップ１０１で片面原稿であると判断される場合には、１パス(反転パスを用いない１回だけの原稿搬送パス)による片面読み取りが行われる(ステップ１０２)。この１パスによる片面読み取りでは、ＣＣＤイメージセンサ７８による読み取りとＣＩＳ５０による読み取りとをどちらを選択しても良いが、より高画質な画像読み取りを実現する場合には、ＣＣＤイメージセンサ７８による読み取りを選択することが好ましい。かかる際には、原稿トレイ１１上に、上向きに片面の原稿部分が存在すると共に原稿の１ページ目が上に来るように載置し、この１ページ目から原稿を搬送して順に読み取られる。
【００３３】
ここで、ステップ１０１で片面原稿ではない場合、即ち、両面原稿である場合には、原稿が白・黒原稿であるか否かが判断される(ステップ１０３)。このステップ１０３の判断は、ステップ１０１と同様に、ユーザからの選択または自動選択読み取り機能によって判断される。カラー原稿であってもユーザが白・黒読み取りを望む場合もある。白・黒読み取りを行わない場合、即ち、カラー読み取りを行う場合には、画質が重視されるか否かが判断される(ステップ１０４)。例えば、カラー写真やパンフレット等のカラー画像の場合には、一般に、読み取り速度を上げる生産性よりも画質が重視される。かかる判断もユーザの設定等によってなされる。このステップ１０４で画質を重視すると判断される場合には、第１の両面読み取りモードである、反転パスによる両面読み取りが実行される(ステップ１０５)。即ち、ＣＩＳ５０による読み取りを行わず、原稿の第１面および原稿の第２面を共に第１のセンサであるＣＣＤイメージセンサ７８によって読み取るのである。これによって、原稿の第１面および原稿の第２面に対し、共に、焦点深度の深い読み取り手段を用いた高画質な両面読み取りが可能となる。
【００３４】
一方、ステップ１０３で白・黒読み取りを行う場合、または、ステップ１０４で、カラー画像出力を必要とする場合であっても、例えばビジネスカラー等の微妙な色合い等が重視されない場合や、プラス１カラーの場合(黒以外に赤や青等、他の１色のカラーを含む場合)など、画質をあまり重視せず、生産性等の他の要因が重視される場合には、第２の両面読み取りモードである、反転パスを用いない、１パスによる両面同時読み取りが行われる(ステップ１０６)。即ち、第１のセンサであるＣＣＤイメージセンサ７８によって第１面を読み取り、この読み取りの搬送パスに際して、同じ搬送パスにてＣＩＳ５０による第２面の読み取りが行われる。これによって、同一の読み取り部へ原稿を２度、搬送する必要がなく、原稿読み取りスピードを向上させることができると共に、搬送パスが簡潔化されることで、原稿づまり(ＪＡＭ)等の原稿搬送トラブルを抑制することができる。尚、前述したように、「同時読み取り」とは、必ずしも時間的に一致する場合を意味するものではなく、両面を１回のパスにてほぼ同時期に読み取るという意味である。
【００３５】
尚、図５に示す処理フローを簡潔化し、両面原稿読み取りにおいて、白黒原稿の読み取りの場合には、ステップ１０６の両面同時読み取りを実行し、カラー原稿の場合には、ステップ１０５の反転パスによって順次、原稿を読み取るように構成することも可能である。また、原稿面の種類に応じて、これらのモードをミックスして用いることもできる。
【００３６】
次に、各原稿読み取りモードにおける原稿の搬送方法について、図６および図７を用いて説明する。
図６(ａ),(ｂ)は、図５のステップ１０２に示した１パスによる片面読み取りモードと、ステップ１０６に示した１パスによる両面同時読み取りである第２の両面読み取りモードの原稿パスを示した図である。図６(ａ)に示すように、原稿トレイ１１に載置された原稿は、ナジャーロール１３、フィードロール１４およびリタードロール１５、テイクアウェイロール１６によって、第１搬送路３１に順次、供給される。供給された原稿は、図６(ｂ)に示すように、プラテンロール１９の読み取り部およびＣＩＳ５０の読み取り部を経由して、搬送路切替ゲート４２によって第２搬送路３２に移動し、排出トレイ４０に、順次、排出される。片面読み取りの場合には、プラテンロール１９の箇所にて、下方から、図１に示すスキャナ装置７０のＣＣＤイメージセンサ７８を用いた読み取りがなされる。但し、前述のように、ＣＩＳ５０を用いた片面読み取りも可能である。また、１パスによる両面同時読み取りの場合には、スキャナ装置７０のＣＣＤイメージセンサ７８を用いて第１面を読み取り、同一搬送時にＣＩＳ５０を用いて第２面を読み取る。これによって、１回の原稿パスによって両面の原稿読み取りを行うことが可能となる。
【００３７】
図７(ａ)〜(ｄ)は、図５のステップ１０５に示した反転パスによる両面読み取り、即ち、第１の両面読み取りモードを説明するための図である。図７(ａ)に示すように、原稿トレイ１１に載置された原稿は、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図７(ｂ)に示すように、インバータロール２２およびインバータピンチロール２３によってスイッチバックし、第５搬送路３５に供給される。
【００３８】
第５搬送路３５に供給された原稿は、再度、第１搬送路３１に供給される。そして、図７(ｃ)に示すように、原稿がスキャナ装置７０のＣＣＤイメージセンサ７８によって下方から読み取られる。このとき、原稿は、図７(ａ)に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図７(ｃ)に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図７(ｄ)に示すように出口切替ゲート４３によって第６搬送路３６を経由し排出トレイ４０に排出される。これによって、原稿における表裏両面の画像を順次、読み取る第１の両面読み取りモードにおいて、読み取り後の原稿のページ順を揃えることが可能となる。
【００３９】
次に、ＣＩＳ５０に取り付けられるカバー５１およびこのカバー５１の取り付け構造について説明する。図８(ａ)は、ＣＩＳ５０の側面図を示しており、図８(ｂ)は図８(ａ)をVIIIｂ方向(搬送経路側)からみた下面図である。
本実施の形態において、カバー５１は、例えばアクリルやポリカーボネート等の樹脂からなり、その表面(搬送経路との対向側)には所定のハードコートが施されている。
また、ＣＩＳ５０のハウジング５６の下側両端部には、カバー５１を装着し且つ固定するためのおさえばね５７が設けられている。このおさえばねの取り付け部位は、搬送され得る原稿の搬送方向に直交する方向における最大サイズよりも外側にある。
【００４０】
本実施の形態では、図２に示すように、突き当て部材６０近傍の搬送経路が湾曲しており、原稿は、湾曲した状態で搬送されるようになっている。そして、ＣＩＳ５０は湾曲する搬送経路の湾曲部内側に、スキャナ装置７０(ＣＣＤイメージセンサ７８)は湾曲する搬送経路の湾曲部外側に配設されている。また、上述したように、ＣＩＳ５０には搬送経路側に制御部材５５が取り付けられている。このため、搬送されてくる原稿は、突き当て部材６０に接触した状態、別の観点から見れば、ＣＩＳ５０に設けられたカバー５１から離間した状態で搬送され読み取られていく。したがって、カバー５１面に原稿の汚れが付着したり、カバー５１が原稿によってこすられて傷ついたりするといった事態は生じない。
【００４１】
このようにして原稿が搬送されるため、本実施の形態では、カバー５１として、ガラスのように硬い材料ではなく、弾性を有する透明材料としての透明樹脂を用いることができる。また、樹脂は一般的にガラスよりも軽量であるため、ＣＩＳ５０ひいては原稿送り装置１０を軽量化することができ、原稿送り装置１０の開閉動作をより少ない力で行うことが可能となる。さらに、カバー５１としてガラス製のものを用いた場合には、割れ発生時の破片の飛び散り等を考慮して、ハウジング５６に対してカバー５１を接着等によって完全に固定する必要があったが、本実施の形態のようにカバー５１として樹脂製のものを用いた場合には、おさえばね５７等の簡易な構成によってハウジング５６に対してカバー５１を取り付けることができる。このため、仮にカバー５１に汚れや傷がついたり、あるいは割れたりした場合にも、カバー５１だけを交換すればよいこととなり、メンテナンス性も向上する。
【００４２】
さらにまた、装置本体としてのスキャナ装置７０に対して移動体としての原稿送り装置１０が開閉自在に配設されているため、原稿送り装置１０の開閉動作に伴うスキャナ装置７０との衝突で、カバー５１が衝撃を受け、割れてしまうおそれがあるが、本実施の形態では、カバー５１として樹脂を用いているため、カバー５１が割れ、突き当て部材６０、第１プラテンガラス７２Ａ、第２プラテンガラス７２Ｂ側に落下してしまうような場合にも、ガラスのような鋭利な破片とはなりにくく、ある程度ユーザの安全を確保することができる。
【００４３】
また、本実施の形態では、第２の読み取り部としてのＣＩＳ５０に設けられるカバー５１が樹脂製であるのに対し、第１の読み取り部としてのスキャナ装置７０に設けられる第２のプラテンガラス７２Ｂはガラス製である。本実施の形態では、原稿を第２のプラテンガラス７２Ｂに押し付けながら読み取りを行っており、この部位ではある程度の硬さが要求されるためである。つまり、本実施の形態では、原稿を保護部材に接触させながら読み取る場合にはガラスを用い、原稿を保護部材に接触させずに読み取る場合には樹脂を用いているともいえる。
【００４４】
―実施の形態２―
本実施の形態は、実施の形態１と略同様であるが、ＣＩＳ５０に取り付けられるカバー５１の取り付け構造を異ならせたものである。なお、本実施の形態において、実施の形態１と同様のものについては、同じ符号を付してその詳細な説明を省略する。
図９は、ＣＩＳ５０を用いた読み取り構造を説明するための図であり、図１０(ａ)は、ＣＩＳ５０の側面図、図１０(ｂ)は図１０(ａ)をXｂ方向(搬送経路側)からみた下面図である。
本実施の形態において、カバー５１は、実施の形態１と同様、例えばアクリルやポリカーボネート等の樹脂からなり、その表面(搬送経路との対向側)には所定のハードコートが施されている。また、ＣＩＳ５０のハウジング５６の下部には内側に向かって突出する凸部５８が形成されており、この凸部５８によって形成されたレールに対してカバー５１がはめ込まれるようになっている。
【００４５】
本実施の形態においても、カバー５１として樹脂を用いることにより、実施の形態１と同様の効果を得ることができる。また、カバー５１の両側を凸部５８によって固定しているので、原稿送り装置１０が揺動する際にも安定した状態を保つことができる。
【図面の簡単な説明】
【００４６】
【図１】本実施の形態が適用される画像読み取り装置を示した図である。
【図２】実施の形態１において、ＣＩＳを用いた読み取り構造を説明するための図である。
【図３】レンズ結像性能として焦点深度を説明するための図である。
【図４】処理装置を説明するためのブロック図である。
【図５】画像読み取りコントロールによって実行される処理の一例を示したフローチャートである。
【図６】(ａ),(ｂ)は、１パスによる片面読み取りモードと、１パスによる両面同時読み取りである第２の両面読み取りモードの原稿パスを説明するための図である。
【図７】(ａ)〜(ｄ)は、反転パスによる両面読み取りを説明するための図である。
【図８】(ａ),(ｂ)は、実施の形態１において、ＣＩＳに対するカバーの取り付け構造を説明するための図である。
【図９】実施の形態２において、ＣＩＳを用いた読み取り構造を説明するための図である。
【図１０】(ａ),(ｂ)は、実施の形態２において、ＣＩＳに対するカバーの取り付け構造を説明するための図である。
【符号の説明】
【００４７】
１０…原稿送り装置、１１…原稿トレイ、１３…ナジャーロール、１９…プラテンロール、２０…アウトロール、２２…インバータロール、２３…インバータピンチロール、３１…第１搬送路、３２…第２搬送路、３３…第３搬送路、３４…第４搬送路、３５…第５搬送路、３６…第６搬送路、４０…排出トレイ、４１…バッフル、４２…搬送路切替ゲート、４３…出口切替ゲート、５０…ＣＩＳ(Contact Image Sensor)、５１…カバー、５２…ＬＥＤ(Light Emitting Diode)、５３…セルフォックレンズ、５４…ラインセンサ、５５…制御部材、５６…ハウジング、５７…おさえばね、５８…凸部、６０…突き当て部材、７０…スキャナ装置、７２Ａ…第１プラテンガラス、７２Ｂ…第２プラテンガラス、７３…フルレートキャリッジ、７４…照明ランプ、７５…ハーフレートキャリッジ、７６Ａ…第１ミラー、７６Ｂ…第２ミラー、７６Ｃ…第３ミラー、７７…結像用レンズ、７８…ＣＣＤ(Charge Coupled Device)イメージセンサ、８０…処理装置、８１…信号処理部、９０…制御部
【図１】
2005167839.tif 000003
【図２】
2005167839.tif 000004
【図３】
2005167839.tif 000005
【図４】
2005167839.tif 000006
【図５】
2005167839.tif 000007
【図６】
2005167839.tif 000008
【図７】
2005167839.tif 000009
【図８】
2005167839.tif 000010
【図９】
2005167839.tif 000011
【図１０】
2005167839.tif 000012